(57)【要約】【課題】切替室の温度を低温側から高温側に切り替える時、いち早く昇温させることを目的とする。【解決手段】ダンパーの開閉制御により貯蔵室の温度をそれぞれ切替可能とする複数の切替貯蔵室１４、１５、１６を備えた冷蔵庫１３において、切替貯蔵室１４の設定温度を低温側から高温側に切替えた時は、切替貯蔵室用ダンパー２０を閉じるとともに、切替貯蔵室内の加熱手段２３を動作させることを特徴としたものであり、切替貯蔵室１４を昇温させる加熱手段２３の熱で他の貯蔵室を加熱することなく切替貯蔵室１４をいち早く昇温させることができる。【選択図】図１
2016223752.tif 000002
【特許請求の範囲】
【請求項１】
断熱壁で区画形成された貯蔵室と、冷却器が収納される冷却室と、前記冷却室から前記貯蔵室に冷気を送風する冷却ファンと、前記冷却室から前記貯蔵室に連通する吐出風路に設けられたダンパーとを備え、前記貯蔵室および前記ダンパーをそれぞれ複数有し、前記ダンパーの開閉制御により前記貯蔵室の温度をそれぞれ切替可能とする複数の切替貯蔵室を備えた冷蔵庫において、前記切替貯蔵室の設定温度を低温側から高温側に切替えた時は、前記切替貯蔵室用のダンパーを閉じるとともに、前記切替貯蔵室内の加熱手段を動作させることを特徴とする冷蔵庫。
【請求項２】
断熱壁で区画形成された貯蔵室と、冷却器が収納される冷却室と、前記冷却室から前記貯蔵室に冷気を送風する冷却ファンと、前記冷却室から前記貯蔵室に連通する吐出風路に設けられたダンパーとを備え、前記貯蔵室および前記ダンパーをそれぞれ複数有し、前記ダンパーの開閉制御により前記貯蔵室の温度をそれぞれ切替可能とする複数の切替貯蔵室を備えた冷蔵庫において、前記切替貯蔵室の設定温度を低温側から高温側に切替えた時は、前記切替貯蔵室以外のダンパーを閉とし、前記切替貯蔵室用ダンパーを開とし、加熱手段及び前記冷却ファンを動作させることを特徴とする冷蔵庫。
【発明の詳細な説明】
【技術分野】
【０００１】
本発明は、少なくとも一つの貯蔵室の温度を冷凍温度帯から冷蔵温度帯まで切り替え可能な冷蔵庫に関するものである。
【背景技術】
【０００２】
従来、冷蔵庫は貯蔵室ごとにあらかじめ決められた温度帯があり、冷凍室は冷凍温度帯の範囲内での温度調節、冷蔵室は冷蔵温度帯の範囲内での温度調節のみが可能であった。
【０００３】
しかしながら、近年、生活形態の多様化などにより、使用者が購入する食材も多様になり、貯蔵室の温度帯を切り替えてそれぞれの温度帯の貯蔵容積を変えたいというニーズも高くなってきた。
【０００４】
そのため、貯蔵室の温度帯を冷凍温度帯から冷蔵温度帯、または冷蔵温度帯から冷凍温度帯に切り替えられる冷蔵庫が開発されている。（例えば特許文献１参照）
以下、図面を参照しながら上記従来の冷蔵庫を説明する。
【０００５】
図４には特許文献１に記載されている従来の冷蔵庫を説明する縦断面図を示す。図５には従来の冷蔵庫の切り替え室周辺の正面図を示す。図４及び図５において、冷蔵庫１は、圧縮機２、凝縮器（図示せず）、減圧手段（図示せず）、蒸発器３からなる冷却システム４を備えるとともに、前面の開口部を開閉可能な扉５ａ、６ａ、７ａ、８ａにより密閉した冷蔵室５、切替室６、冷凍室７、野菜室８を備えている。
【０００６】
蒸発器３は、冷凍室７背面の冷却室９内に収納されており、上部に冷却ファン１０を備えており、蒸発器３で生成された冷気を庫内に循環させる。
【０００７】
また、切替室６背面には冷却ファン１０により循環している冷気を切替室６内に導入、遮断する切替ダンパー１１を備えるとともに、底面にはヒーター１２を備えており、切替室６内を加熱する。
【０００８】
冷蔵庫１の運転時、蒸発器３で生成された冷気は、冷却ファン１０により庫内に循環され、各貯蔵室は所定の温度に維持される。
【０００９】
この時、切替室６内を設定温度に維持すべく、切替ダンパー１１が開閉し、切替室６内への冷気の吹き出しを制御する。
【００１０】
ここで、切替室６を冷凍設定から冷蔵設定に変更した時には、ヒーター１２に通電し、切替室６内を加熱することにより、いち早く切替室６を冷蔵温度帯とすることができ、貯蔵食品などの品質を保つことができる。
【先行技術文献】
【特許文献】
【００１１】
【特許文献１】特許第３３６１０３８号公報
【発明の概要】
【発明が解決しようとする課題】
【００１２】
しかしながら、上記従来の構成ではヒーターに通電されている時に切替ダンパーが開状態になった場合には、ヒーターの熱がダンパーを介して他の貯蔵室へと流れ、熱負荷とな
り、冷蔵庫の消費電力量が高くなるという課題があった。
【００１３】
また、ヒーターが底面の壁のみを加熱し、自然対流により切替室を加熱しているため、底面ばかりが過熱され、中心温度は目標温度に昇温しにくいという課題があった。
【課題を解決するための手段】
【００１４】
上記従来の課題を解決するために、本発明の冷蔵庫は、断熱壁で区画形成された貯蔵室と、冷却器が収納される冷却室と、冷却室から貯蔵室に冷気を送風する冷却ファンと、冷却室から貯蔵室に連通する吐出風路に設けられたダンパーとを備え、貯蔵室およびダンパーをそれぞれ複数有し、ダンパーの開閉制御により貯蔵室の温度をそれぞれ切替可能とする複数の切替貯蔵室を備えた冷蔵庫において、切替貯蔵室の設定温度を低温側から高温側に切替えた時は、切替貯蔵室用ダンパーを閉じるとともに、切替貯蔵室内の加熱手段を動作させることを特徴とする構成としたものである。
【００１５】
これにより、ヒーターによる熱はダンパーにより遮断され、他の貯蔵室が加熱されることはなく、消費電力量の増加を抑制することができる。
【００１６】
また、切替貯蔵室の設定温度を低温側から高温側に切替えた時は、切替貯蔵室以外のダンパーを閉とし、切替貯蔵室用ダンパーを開とし、加熱手段及び冷却ファンを動作させることを特徴とする構成としたものである。
【００１７】
これにより、いち早く切替室の温度を昇温させることができ、貯蔵物の鮮度の劣化を防ぐことができる。
【発明の効果】
【００１８】
本発明の冷蔵庫は、真空断熱材の断熱性能劣化を抑制することができるので、冷蔵庫の断熱性能を向上することができる。
【図面の簡単な説明】
【００１９】
【図１】本発明の実施の形態１及び２による冷蔵庫の縦断面図
【図２】本発明の実施の形態１による冷蔵庫を説明するフローチャート
【図３】本発明の実施の形態２による冷蔵庫を説明するフローチャート
【図４】従来の冷蔵庫の縦断面図
【図５】従来の冷蔵庫の切替室近傍の正面図
【発明を実施するための形態】
【００２０】
請求項１に記載の発明は、断熱壁で区画形成された貯蔵室と、冷却器が収納される冷却室と、前記冷却室から前記貯蔵室に冷気を送風する冷却ファンと、前記冷却室から前記貯蔵室に連通する吐出風路に設けられたダンパーとを備え、前記貯蔵室および前記ダンパーをそれぞれ複数有し、前記ダンパーの開閉制御により前記貯蔵室の温度をそれぞれ切替可能とする複数の切替貯蔵室を備えた冷蔵庫において、前記切替貯蔵室の設定温度を低温側から高温側に切替えた時は、前記切替貯蔵室用ダンパーを閉じるとともに、前記切替貯蔵室内の加熱手段を動作させるものであり、切替室を昇温させるヒーターの熱で他の貯蔵室を加熱することがなく、消費電力量の低い冷蔵庫とすることができる。
【００２１】
請求項２に記載の発明は、断熱壁で区画形成された貯蔵室と、冷却器が収納される冷却室と、前記冷却室から前記貯蔵室に冷気を送風する冷却ファンと、前記冷却室から前記貯蔵室に連通する吐出風路に設けられたダンパーとを備え、前記貯蔵室および前記ダンパーをそれぞれ複数有し、前記ダンパーの開閉制御により前記貯蔵室の温度をそれぞれ切替可能とする複数の切替貯蔵室を備えた冷蔵庫において、前記切替貯蔵室の設定温度を低温側
から高温側に切替えた時は、前記切替貯蔵室以外のダンパーを閉とし、前記切替貯蔵室用ダンパーを開とし、加熱手段及び前記冷却ファンを動作させるものであり、冷却ファンによってヒーターの熱を切替室内に循環させることができ、いち早く切替室の温度を昇温させることができ、保鮮性の高い冷蔵庫とすることができる。
【００２２】
以下、本発明の実施の形態について、図面を参照しながら説明する。なお、この実施の形態によってこの発明が限定されるものではない。
【００２３】
（実施の形態１）
図１は本発明の実施の形態１による冷蔵庫の縦断面図である。図２は本発明の実施の形態１による冷蔵庫の動作を示すフローチャートである。
【００２４】
図１において、冷蔵庫１３は、圧縮機２、凝縮器（図示せず）、減圧手段（図示せず）、蒸発器３からなる冷却システム４を備えるとともに、前面の開口部を開閉可能な扉５ａ、１４ａ、１５ａ、１６ａにより密閉した冷蔵室５、第一切替室１４、第二切替室１５、第三切替室１６を備えている。
【００２５】
蒸発器３は、第二切替室１５背面で、断熱壁１７により第二切替室１５内と熱的に遮断された冷却室１８内に収納されており、上部に冷却ファン１０を備えており、蒸発器３で生成された冷気を庫内に循環させる。
【００２６】
また冷蔵室、第一切替室１４、第二切替室１５、第三切替室１６内には、冷却ファン１０により循環している冷気をそれぞれの貯蔵室に導入、遮断する冷蔵室ダンパー１９、第一切替ダンパー２０、第二切替ダンパー２１及び第三切替ダンパー２２を備えるとともに、底面には第一ヒーター２３、第二ヒーター２４及び第三ヒーター２５を備えており、それぞれ第一切替室１４、第二切替室１５、第三切替室１６を加熱する。
【００２７】
さらに、各貯蔵室の温度を制御するために、ぞれぞれの貯蔵室には冷蔵室サーミスタ２６、第一サーミスタ２７、第二サーミスタ２８及び第三サーミスタ２９を備えている。
【００２８】
以上のように構成された冷蔵庫について、以下その動作、作用を説明する。
【００２９】
冷蔵庫１３運転時、蒸発器３で生成された冷気は、冷却ファン１０により庫内に循環され、各貯蔵室は所定の温度に維持される。
【００３０】
この時、第一切替室１４、第二切替室１５及び第三切替室１６は第一切替ダンパー２０、第二切替ダンパー２１、第三切替ダンパー２２の開閉により、それぞれマイナス２０度前後の冷凍温度帯から５度前後の冷蔵温度帯に維持することが可能である。
【００３１】
次に、第一切替室１４、第二切替室１５及び第三切替室１６の設定温度を現在の温度よりも高い温度に切り替えた時の動作を、図２のフローチャートに基づいて説明する。
【００３２】
ここでは説明を簡単にするために、第一切替室１４の切替制御に限定して説明するが、第一切替室１４、第二切替室１５、第三切替室１６いずれにおいても同様の動作で同様の効果が得られる。
【００３３】
第一切替室１４の設定温度を現在の温度より高い温度に切り替えると、制御部（図示せず）により、まず第一切替ダンパー２０を閉塞するとともに、第一ヒーター２３を通電して第一切替室１４内を加熱する。
【００３４】
そして第一サーミスタ２７の検出する温度がある一定の値Ｔ１を超えると第一ヒーター２３への通電を遮断する。
【００３５】
これにより、第一切替室１４の温度を第一ヒーター２３により、いち早く目的の温度に昇温させることができるとともに、第一切替ダンパー２０が閉となっていることにより、第一切替室１４の暖かい暖気が他の貯蔵室に流れることはなく、冷蔵庫１３の熱負荷が増加することはない。
【００３６】
尚、本実施の形態において、Ｔ１は外気温度、他の貯蔵室の設定温度などによって変動し、例えば外気温度、他の貯蔵室の設定温度が高いほど低い値とすることによって安定した温度制御とすることができる。
【００３７】
また、本実施の形態において、蒸発器３は第二切替室１５背面としたが、蒸発器３の位置はどの貯蔵室内でもよい。また１つの貯蔵室内に収納することにより、ダクトが簡素化され、貯蔵内容積を大きくできるというメリットがある。
【００３８】
また、本実施の形態において、切替室は第一から第三の３室としたが、１室以上であれば同様の効果が得られることは言うまでもない。
【００３９】
また、本実施の形態において、第一ヒーター２３、第二ヒーター２４及び第三ヒーター２５は第一切替室１４、第二切替室１５及び第三切替室１６の底面に備える構成として説明したが、側壁面、天面などに追加することにより昇温速度が速くなるが、消費電力量が高くなるというデメリットもある。
【００４０】
また、本実施の形態において、第二ヒーター２４を断熱壁１７表面に備えることにより、第二切替室１５が冷蔵設定の時、冷却室１８から断熱壁１７を介して第二切替室１５内が冷やされるのを第二ヒーター２４により抑制できるため、断熱壁１７の厚さを薄くすることができ、第二切替室１５の貯蔵容積を大きくすることができる。
【００４１】
（実施の形態２）
図３は本発明の実施の形態２による冷蔵庫の動作を示すフローチャートである。
【００４２】
切替室１４、１５、１６の設定温度を現在の温度よりも高い温度に切り替えた時の動作を、図３のフローチャートに基づき説明する。
【００４３】
ここでは説明を簡単にするために、第一切替室１４の切替制御に限定して説明するが、第一切替室１４、第二切替室１５、第三切替室１６いずれにおいても同様の動作で同様の効果が得られる。
【００４４】
第一切替室１４の設定温度を現在の温度より高い温度に切り替えると、制御部（図示せず）により、まず冷蔵室ダンパー１９、第二切替ダンパー２１、第三切替ダンパー２２を閉塞、第一切替ダンパー２０を開放するとともに、第一ヒーター２３を通電し、冷却ファン１０を運転する。
【００４５】
そして第一サーミスタ２７の検出する温度がある一定の値Ｔ１を超えると第一ヒーター２３への通電を遮断する。
【００４６】
これにより、第一切替室１４の温度を第一ヒーター２３により、より早く目的の温度に昇温させることができるとともに、冷蔵室ダンパー１９、第二切替ダンパー２１及び第三切替ダンパー２２が閉となっていることにより、第一切替室１４の暖かい暖気が他の貯蔵
室に流れることはなく、冷蔵庫１３の熱負荷が増加することはない。
【００４７】
なお、実施の形態１と実施の形態２は、圧縮機２の運転状態により、場合分けして行うこともできる。すなわち、圧縮機２が運転中（蒸発器３が冷却中）の場合は、実施の形態１の動作を実施し、圧縮機２が停止中（蒸発器３が非冷却中）の場合は、実施の形態２の動作を実施することで、より効率的に第一切替室１４の温度を上昇させることができる。
【００４８】
さらに、蒸発器３近傍に配置される除霜ヒータ（図示せず）を利用して、第一切替室１４の温度を上昇させてもよい。
【産業上の利用可能性】
【００４９】
本発明の冷蔵庫は、貯蔵室の温度を低温から高温に切り替えた時に、他の貯蔵室の熱負荷を増加させることなく、いち早く昇温させることができるので、貯蔵室の温度を切替可能な冷蔵機器全般に適用可能である。
【符号の説明】
【００５０】
３      蒸発器
１０    冷却ファン
１３    冷蔵庫
１４    第一切替室
１４ａ、１５ａ、１６ａ  扉
１５    第二切替室
１６    第三切替室
１７    断熱壁
１８    冷却室
１９    冷蔵室ダンパー
２０    第一切替ダンパー
２１    第二切替ダンパー
２２    第三切替ダンパー
２３    第一ヒーター
２４    第二ヒーター
２５    第三ヒーター
２６    冷蔵室サーミスタ
２７    第一サーミスタ
２８    第二サーミスタ
２９    第三サーミスタ
【図１】
2016223752.tif 000003
【図２】
2016223752.tif 000004
【図３】
2016223752.tif 000005
【図４】
2016223752.tif 000006
【図５】
2016223752.tif 000007